【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
各種データの接受等の処理を行う処理手段を有する車両購入の際の見積を作成するためのシステムであって、
処理手段は、
車体種別を特定するとともにローン種別等のローン方法が複数特定された見積要求信号を受信すると、
車体種別に対応して車体価格が記憶されるとともに各種のローン種別に応じた利率が記憶されたデータベースから、前記特定された車体種別に応じた車体価格を抽出して購入代金を計算するとともに、前記特定されたローン方法に応じた利率を抽出して前記複数のローン方法に応じた返済額をそれぞれ計算して、
その計算結果を表示手段において一括で表示する見積画面データを出力するよう設けられていることを特徴とする車両見積作成システム。
【請求項２】
請求項１記載の車両見積作成システムであって、
前記購入金額を計算するに際して、処理手段は、車体種別に対応した取得税等の法定所要費用が記憶されたデータベースから、見積要求信号の車体種別に応じた法定所要費用を抽出して、購入金額を計算するよう設けられていることを特徴とする車両見積作成システム。
【請求項３】
請求項１又は２に記載の車両見積作成システムであって、
処理手段は、利用者に対して複数のローン方法の入力を促す画面を表示するべく入力要求画面データを出力するように設けられていることを特徴とする車両見積作成システム。
【請求項４】
請求項３記載の車両見積作成システムであって、
前記処理手段の出力する入力要求画面データは、その表示画面において複数のローン返済回数を利用者が入力可能に表示するように設けられていることを特徴とする車両見積作成システム。
【請求項５】
請求項３又は４記載の車両見積作成システムであって、
前記処理手段の出力する入力要求画面データは、その表示画面において複数種類のローン種別を利用者が入力可能に表示するように設けられていることを特徴とする車両見積作成システム。
【請求項６】
請求項１乃至５の何れかに記載の車両見積作成システムであって、
前記処理手段は、
表示手段において見積画面データを視認した利用者によって一つのローン方法が特定された見積書要求信号を受信すると、
その特定されたローン方法についての個別見積書データを作成して出力するように設けられていることを特徴とする車両見積作成システム。
【請求項７】
請求項１乃至６の何れかに記載の車両見積作成システムであって、
前記処理手段は、値引情報を受信した際に、その値引情報をもとに購入金額を計算するとともに、表示手段に対して、値引である旨の表示、及び、その値引額の表示を行わせるように設けられていることを特徴とする車両見積作成システム。
【請求項８】
請求項１乃至７の何れかに記載の車両見積作成システムであって、
前記車体種別に対応して車体価格が記憶されるとともに各種のローン種別に応じた利率が記憶されたデータベースを有し、
インターネット等のネットを介して接続したサーバから、新規データを受け取った際に、処理手段は、新規データをデータベースに入力するように設けられていることを特徴とする車両見積作成システム。
【請求項９】
請求項１乃至８の何れかに記載の車両見積作成システムであって、
データベースには、見積要求を行った顧客の顧客情報が記憶されるとともに、該顧客が行った見積に関する既見積情報が記憶されており、
前記処理手段は、該顧客及び既見積情報が特定された既見積情報要求信号を受信すると、データベースから該既見積情報を抽出するよう設けられていることを特徴とする車両見積作成システム。
【請求項１０】
請求項１乃至９の何れかに記載の車両見積作成システムであって、
データベースは、特定の車体についての頻出見積情報が記憶されるテンプレートデータテーブルを備えており、
前記処理手段は、該頻出見積情報が特定された頻出見積情報要求信号を受信すると、テンプレートデータテーブルから該頻出見積情報を抽出するよう設けられていることを特徴とする車両見積作成システム。
【請求項１１】
利用者端末からインターネット等のネットを介して接続可能で、且つ、各種の車体種別等のデータを記憶するデータベースを有するサーバを備えてなり、
前記サーバのデータベースには、車体種別に対応して、車体価格が記憶されているとともに、各種のローン種別に応じた利率が記憶されており、
サーバは、利用者端末に対して、車体種別の入力、及び、複数のローン方法の入力を促す入力要求画面を表示させるべく入力要求画面データを送信するように設けられており、
利用者端末から、入力要求画面に基づいて車体種別の特定、及び、複数のローン方法の特定がなされた見積請求データを受信すると、サーバは、データベースから前記特定された車体種別に応じた車体価格を抽出して購入代金を計算するとともに、前記特定されたローン方法に応じた利率を抽出して前記複数のローン方法に応じた返済額をそれぞれ計算して、
サーバは、上記計算結果を利用者端末において一括で表示できるような見積画面データを利用者端末に対して送信するように設けられていることを特徴とする車両見積作成システム。
【請求項１２】
請求項１１記載の車両見積作成システムであって、
データベースには、車体種別に対応した取得税等の法定所要費用が記憶されており、
前記購入金額を計算するに際して、サーバは、データベースから、見積要求信号の車体種別に応じた法定所要費用を抽出して、購入金額を計算するよう設けられていることを特徴とする車両見積作成システム。
【請求項１３】
請求項１１又は１２に記載の車両見積作成システムであって、
サーバが送信する入力要求画面データは、利用者端末において複数のローン返済回数を利用者が入力可能に表示するように設けられていることを特徴とする車両見積作成システム。
【請求項１４】
請求項１１乃至１３の何れかに記載の車両見積作成システムであって、
サーバの送信する入力要求画面データは、その表示画面において複数種類のローン種別を利用者が入力可能に表示するように設けられていることを特徴とする車両見積作成システム。
【請求項１５】
請求項１１乃至１４の何れかに記載の車両見積作成システムであって、
サーバは、
利用者端末において表示される見積画面データに基づく画面を視認した利用者によって一つのローン方法が特定された見積書要求信号を受信すると、
その特定されたローン方法についての個別見積書データを作成して出力するように設けられていることを特徴とする車両見積作成システム。
【請求項１６】
請求項１１乃至１５の何れかに記載の車両見積作成システムであって、
サーバは、値引情報を受信した際に、その値引情報をもとに購入金額を計算するとともに、利用者端末に対して、値引である旨の表示、及び、その値引額の表示を行わせるように設けられていることを特徴とする車両見積作成システム。
【請求項１７】
請求項１１乃至１６の何れかに記載の車両見積作成システムであって、
サーバのデータベースには、見積要求を行った顧客の顧客情報が記憶されるとともに、該顧客が行った見積に関する既見積情報が記憶されており、
サーバは、該顧客及び既見積情報が特定された既見積情報要求信号を受信すると、データベースから該既見積情報を抽出するよう設けられていることを特徴とする車両見積作成システム。
【請求項１８】
請求項１１乃至１７の何れかに記載の車両見積作成システムであって、
サーバのデータベースは、特定の車体についての頻出見積情報が記憶されるテンプレートデータテーブルを備えており、
サーバは、該頻出見積情報が特定された頻出見積情報要求信号を受信すると、テンプレートデータテーブルから該頻出見積情報を抽出するよう設けられていることを特徴とする車両見積作成システム。
【請求項１９】
各種データの接受等の処理を行う処理手段を有し、車体種別に対応して車体価格が記憶されているとともに、各種のローン種別に応じた利率が記憶されているデータベースを利用して車両の見積を行う車両見積作成システムの動作方法であって、
処理手段は、
車体種別を特定するとともにローン種別等のローン方法が複数特定された見積要求信号を受信すると、
データベースから、前記特定された車体種別に応じた車体価格を抽出して購入代金を計算するとともに、前記特定されたローン方法に応じた利率を抽出して前記複数のローン方法に応じた返済額をそれぞれ計算して、
その計算結果を表示手段において一括で表示する見積画面データを出力することを特徴とする車両見積作成システムの動作方法。
【請求項２０】
請求項１９記載の車両見積作成システムの動作方法であって、
前記購入金額を計算するに際して、処理手段は、車体種別に対応した取得税等の法定所要費用が記憶されたデータベースから、見積要求信号の車体種別に応じた法定所要費用を抽出して、購入金額を計算することを特徴とする車両見積作成システムの動作方法。
【請求項２１】
請求項１９又は２０に記載の車両見積作成システムの動作方法であって、
処理手段は、利用者に対して複数のローン方法の入力を促す画面を表示するべく入力要求画面データを出力することを特徴とする車両見積作成システムの動作方法。
【請求項２２】
請求項２１記載の車両見積作成システムの動作方法であって、
前記処理手段の出力する入力要求画面データは、その表示画面において複数のローン返済回数を利用者が入力可能に表示するように設けられていることを特徴とする車両見積作成システムの動作方法。
【請求項２３】
請求項２１又は２２記載の車両見積作成システムの動作方法であって、
前記処理手段の出力する入力要求画面データは、その表示画面において複数種類のローン種別を利用者が入力可能に表示するように設けられていることを特徴とする車両見積作成システムの動作方法。
【請求項２４】
請求項１９乃至２３の何れかに記載の車両見積作成システムの動作方法であって、
前記処理手段は、
表示手段において見積画面データを視認した利用者によって一つのローン方法が特定された見積書要求信号を受信すると、
その特定されたローン方法についての個別見積書データを作成して出力することを特徴とする車両見積作成システムの動作方法。
【請求項２５】
請求項１９乃至２４の何れかに記載の車両見積作成システムの動作方法であって、
前記処理手段は、値引情報を受信した際に、その値引情報をもとに購入金額を計算するとともに、表示手段に対して、値引である旨の表示、及び、その値引額の表示を行わせる信号を出力することを特徴とする車両見積作成システムの動作方法。
【請求項２６】
請求項１９乃至２５の何れかに記載の車両見積作成システムの動作方法であって、
前記車両見積作成システムは、前記車体種別に対応して車体価格が記憶されるとともに各種のローン種別に応じた利率が記憶されたデータベースを有し、
該システムの処理手段は、インターネット等のネットを介してサーバに接続して、新規データを受け取り、新規データをデータベースに入力することを特徴とする車両見積作成システムの動作方法。
【請求項２７】
請求項１９乃至２６の何れかに記載の車両見積作成システムの動作方法であって、
データベースには、見積要求を行った顧客の顧客情報が記憶されるとともに、該顧客が行った見積に関する既見積情報が記憶されており、
前記処理手段は、該顧客及び既見積情報が特定された既見積情報要求信号を受信すると、データベースから該既見積情報を抽出することを特徴とする車両見積作成システムの動作方法。
【請求項２８】
請求項１９乃至２７の何れかに記載の車両見積作成システムの動作方法であって、
データベースは、特定の車体についての頻出見積情報が記憶されるテンプレートデータテーブルを備えており、
前記処理手段は、該頻出見積情報が特定された頻出見積情報要求信号を受信すると、テンプレートデータテーブルから該頻出見積情報を抽出することを特徴とする車両見積作成システムの動作方法。
【請求項２９】
利用者端末からインターネット等のネットを介して接続可能で、且つ、各種の車体種別等のデータを記憶するデータベースを有するサーバを備えた車両見積作成システムの動作方法であって、
前記サーバのデータベースには、車体種別に対応して、車体価格が記憶されているとともに、各種のローン種別に応じた利率が記憶されており、
サーバは、利用者端末に対して、車体種別の入力、及び、複数のローン方法の入力を促す入力要求画面を表示させるべく入力要求画面データを送信し、
利用者端末から、入力要求画面に基づいて車体種別の特定、及び、複数のローン方法の特定がなされた見積請求データを受信すると、サーバは、データベースから前記特定された車体種別に応じた車体価格を抽出して購入代金を計算するとともに、前記特定されたローン方法に応じた利率を抽出して前記複数のローン方法に応じた返済額をそれぞれ計算して、
サーバは、上記計算結果を利用者端末において一括で表示できるような見積画面データを利用者端末に対して送信するように設けられていることを特徴とする車両見積作成システムの動作方法。
【請求項３０】
請求項２９記載の車両見積作成システムの動作方法であって、
データベースには、車体種別に対応した取得税等の法定所要費用が記憶されており、
前記購入金額を計算するに際して、サーバは、データベースから、見積要求信号の車体種別に応じた法定所要費用を抽出して、購入金額を計算することを特徴とする車両見積作成システムの動作方法。
【請求項３１】
請求項２９又は３０に記載の車両見積作成システムの動作方法であって、
サーバが送信する入力要求画面データは、利用者端末において複数のローン返済回数を利用者が入力可能に表示するように設けられていることを特徴とする車両見積作成システムの動作方法。
【請求項３２】
請求項２９乃至３０の何れかに記載の車両見積作成システムの動作方法であって、
サーバの送信する入力要求画面データは、その表示画面において複数種類のローン種別を利用者が入力可能に表示するように設けられていることを特徴とする車両見積作成システム。
【請求項３３】
請求項２９乃至３２の何れかに記載の車両見積作成システムの動作方法であって、
サーバは、
利用者端末において表示される見積画面データに基づく画面を視認した利用者によって一つのローン方法が特定された見積書要求信号を受信すると、
その特定されたローン方法についての個別見積書データを作成して出力することを特徴とする車両見積作成システムの動作方法。
【請求項３４】
請求項２９乃至３３の何れかに記載の車両見積作成システムの動作方法であって、
前記サーバは、値引情報を受信した際に、その値引情報をもとに購入金額を計算するとともに、利用者端末に対して、値引である旨の表示、及び、その値引額の表示を行わせる信号を送信することを特徴とする車両見積作成システムの動作方法。
【請求項３５】
請求項２９乃至３４の何れかに記載の車両見積作成システムの動作方法であって、
サーバのデータベースには、見積要求を行った顧客の顧客情報が記憶されるとともに、該顧客が行った見積に関する既見積情報を記憶されており、
サーバは、該顧客及び既見積情報が特定された既見積情報要求信号を受信すると、データベースから該既見積情報を抽出することを特徴とする車両見積作成システムの動作方法。
【請求項３６】
請求項２９乃至３５の何れかに記載の車両見積作成システムの動作方法であって、
サーバのデータベースは、特定の車体についての頻出見積情報が記憶されるテンプレートデータテーブルを備えており、
サーバは、該頻出見積情報が特定された頻出見積情報要求信号を受信すると、テンプレートデータテーブルから該頻出見積情報を抽出することを特徴とする車両見積作成システムの動作方法。
【請求項３７】
各種データの接受等の処理を行う処理手段を有するコンピュータに対して、各種のローン種別に応じた利率が記憶されているデータベースを利用して車両の見積を行わせるプログラムであって、
前記処理手段が、
車体種別を特定するとともにローン種別等のローン方法が複数特定された見積要求信号を受信すると、
データベースから、前記特定された車体種別に応じた車体価格を抽出して購入代金を計算するとともに、前記特定されたローン方法に応じた利率を抽出して前記複数のローン方法に応じた返済額をそれぞれ計算して、
その計算結果を表示手段において一括で表示する見積画面データを出力するように設けられたことを特徴とする車両見積作成システム用プログラム。
【請求項３８】
請求項３７記載の車両見積作成システム用プログラムであって、
前記購入金額を計算するに際して、処理手段が、車体種別に対応した取得税等の法定所要費用が記憶されたデータベースから、見積要求信号の車体種別に応じた法定所要費用を抽出して、購入金額を計算するように設けられていることを特徴とする車両見積作成システム用プログラム。
【請求項３９】
請求項３７又は３８に記載の車両見積作成システム用プログラムであって、
処理手段が、利用者に対して複数のローン方法の入力を促す画面を表示するべく入力要求画面データを出力するように設けられていることを特徴とする車両見積作成システム用プログラム。
【請求項４０】
請求項３９記載の車両見積作成システム用プログラムであって、
前記処理手段の出力する入力要求画面データは、その表示画面において複数のローン返済回数を利用者が入力可能に表示するように設けられていることを特徴とする車両見積作成システム用プログラム。
【請求項４１】
請求項３９又は４０記載の車両見積作成システム用プログラムであって、
前記処理手段の出力する入力要求画面データは、その表示画面において複数種類のローン種別を利用者が入力可能に表示するように設けられていることを特徴とする車両見積作成システム用プログラム。
【請求項４２】
請求項３７乃至４１の何れかに記載の車両見積作成システム用プログラムであって、
前記処理手段が、
表示手段において見積画面データを視認した利用者によって一つのローン方法が特定された見積書要求信号を受信すると、
その特定されたローン方法についての個別見積書データを作成して出力するように設けられていることを特徴とする車両見積作成システム用プログラム。
【請求項４３】
請求項３７乃至４２の何れかに記載の車両見積作成システム用プログラムであって、
前記処理手段は、値引情報を受信した際に、その値引情報をもとに購入金額を計算するとともに、表示手段に対して、値引である旨の表示、及び、その値引額の表示を行わせるような信号を送信するように設けられていることを特徴とする車両見積作成システム用プログラム。
【請求項４４】
請求項３７乃至４３の何れかに記載の車両見積作成システム用プログラムであって、
コンピュータの記憶手段に、前記車体種別に対応して車体価格が記憶されるとともに各種のローン種別に応じた利率が記憶されたデータベースを形成せしめ、
該システムの処理手段が、インターネット等のネットを介してサーバに接続して、新規データを受け取り、新規データをデータベースに入力するように設けられていることを特徴とする車両見積作成システム用プログラム。
【請求項４５】
請求項３７乃至４４の何れかに記載の車両見積作成システム用プログラムであって、
処理手段が、
データベースに、見積要求を行った顧客の顧客情報、及び、該顧客が行った見積に関する既見積情報を記憶せしめ、
該顧客及び既見積情報が特定された既見積情報要求信号を受信すると、データベースから該既見積情報を抽出するように設けられていることを特徴とする車両見積作成システム用プログラム。
【請求項４６】
請求項３７乃至４５の何れかに記載の車両見積作成システム用プログラムであって、
処理手段が、
データベースのテンプレートデータテーブルに、特定の車体についての頻出見積情報を記憶せしめ、
該頻出見積情報が特定された頻出見積情報要求信号を受信すると、テンプレートデータテーブルから該頻出見積情報を抽出するように設けられていることを特徴とする車両見積作成システム用プログラム。
【請求項４７】
利用者端末からインターネット等のネットを介して接続可能なサーバに対して、各種のローン種別に応じた利率が記憶されているデータベースを形成して、このデータベースを利用して車両の見積を行わせるプログラムであって、
前記サーバのデータベースには、車体種別に対応して、車体価格が記憶されているとともに、各種のローン種別に応じた利率が記憶され、
サーバは、利用者端末に対して、車体種別の入力、及び、複数のローン方法の入力を促す入力要求画面を表示させるべく入力要求画面データを送信し、
利用者端末から、入力要求画面に基づいて車体種別の特定、及び、複数のローン方法の特定がなされた見積請求データを受信すると、サーバは、データベースから前記特定された車体種別に応じた車体価格を抽出して購入代金を計算するとともに、前記特定されたローン方法に応じた利率を抽出して前記複数のローン方法に応じた返済額をそれぞれ計算して、
サーバは、上記計算結果を利用者端末において一括で表示できるような見積画面データを利用者端末に対して送信するように設けられる
ことを特徴とする車両見積作成システム用プログラム。
【請求項４８】
各種データの接受等の処理を行う処理手段を有する車両購入の際の見積を作成するためのシステムであって、
処理手段は、
車体種別を特定するとともにローン種別等のローン方法が複数特定された見積要求信号を受信すると、
車体種別に対応して車体価格が記憶されるとともに各種のローン種別に応じた利率が記憶されたデータベースから、前記特定された車体種別に応じた車体価格を抽出して購入代金を計算するとともに、前記特定されたローン方法に応じた利率を抽出して前記ローン方法に応じた返済額をそれぞれ計算して、
その計算結果を表示手段において表示する見積画面データを出力するよう設けられていることを特徴とする車両見積作成システム。
【請求項４９】
利用者端末からインターネット等のネットを介して接続可能で、且つ、各種の車体種別等のデータを記憶するデータベースを有するサーバを備えてなり、
前記サーバのデータベースには、車体種別に対応して、車体価格が記憶されているとともに、各種のローン種別に応じた利率が記憶されており、
サーバは、利用者端末に対して、車体種別の入力、及び、ローン方法の入力を促す入力要求画面を表示させるべく入力要求画面データを送信するように設けられており、
利用者端末から、入力要求画面に基づいて車体種別の特定、及び、ローン方法の特定がなされた見積請求データを受信すると、サーバは、データベースから前記特定された車体種別に応じた車体価格を抽出して購入代金を計算するとともに、前記特定されたローン方法に応じた利率を抽出して前記ローン方法に応じた返済額をそれぞれ計算して、
サーバは、上記計算結果を利用者端末において表示できるような見積画面データを利用者端末に対して送信するように設けられていることを特徴とする車両見積作成システム。
【請求項５０】
各種データの接受等の処理を行う処理手段を有し、車体種別に対応して車体価格が記憶されているとともに、各種のローン種別に応じた利率が記憶されているデータベースを利用して車両の見積を行う車両見積作成システムの動作方法であって、
処理手段は、
車体種別を特定するとともにローン種別等のローン方法が特定された見積要求信号を受信すると、
データベースから、前記特定された車体種別に応じた車体価格を抽出して購入代金を計算するとともに、前記特定されたローン方法に応じた利率を抽出して前記複数のローン方法に応じた返済額をそれぞれ計算して、
その計算結果を表示手段において表示する見積画面データを出力することを特徴とする車両見積作成システムの動作方法。
【請求項５１】
利用者端末からインターネット等のネットを介して接続可能で、且つ、各種の車体種別等のデータを記憶するデータベースを有するサーバを備えた車両見積作成システムの動作方法であって、
前記サーバのデータベースには、車体種別に対応して、車体価格が記憶されているとともに、各種のローン種別に応じた利率が記憶されており、
サーバは、利用者端末に対して、車体種別の入力、及び、ローン方法の入力を促す入力要求画面を表示させるべく入力要求画面データを送信し、
利用者端末から、入力要求画面に基づいて車体種別の特定、及び、ローン方法の特定がなされた見積請求データを受信すると、サーバは、データベースから前記特定された車体種別に応じた車体価格を抽出して購入代金を計算するとともに、前記特定されたローン方法に応じた利率を抽出して前記ローン方法に応じた返済額をそれぞれ計算して、
サーバは、上記計算結果を利用者端末において表示できるような見積画面データを利用者端末に対して送信するように設けられていることを特徴とする車両見積作成システムの動作方法。
【請求項５２】
各種データの接受等の処理を行う処理手段を有するコンピュータに対して、各種のローン種別に応じた利率が記憶されているデータベースを利用して車両の見積を行わせるプログラムであって、
前記処理手段が、
車体種別を特定するとともにローン種別等のローン方法が特定された見積要求信号を受信すると、
データベースから、前記特定された車体種別に応じた車体価格を抽出して購入代金を計算するとともに、前記特定されたローン方法に応じた利率を抽出して前記ローン方法に応じた返済額をそれぞれ計算して、
その計算結果を表示手段において表示する見積画面データを出力するように設けられたことを特徴とする車両見積作成システム用プログラム。
【請求項５３】
利用者端末からインターネット等のネットを介して接続可能なサーバに対して、各種のローン種別に応じた利率が記憶されているデータベースを形成して、このデータベースを利用して車両の見積を行わせるプログラムであって、
前記サーバのデータベースには、車体種別に対応して、車体価格が記憶されているとともに、各種のローン種別に応じた利率が記憶され、
サーバは、利用者端末に対して、車体種別の入力、及び、ローン方法の入力を促す入力要求画面を表示させるべく入力要求画面データを送信し、
利用者端末から、入力要求画面に基づいて車体種別の特定、及び、ローン方法の特定がなされた見積請求データを受信すると、サーバは、データベースから前記特定された車体種別に応じた車体価格を抽出して購入代金を計算するとともに、前記特定されたローン方法に応じた利率を抽出して前記ローン方法に応じた返済額をそれぞれ計算して、
サーバは、上記計算結果を利用者端末において表示できるような見積画面データを利用者端末に対して送信するように設けられる
ことを特徴とする車両見積作成システム用プログラム。
【請求項５４】
請求項３７乃至４７又は５２及び５３に記載されたプログラムが記憶されたことを特徴とする車両見積作成システム用プログラムの記録媒体。
【手続補正２】
【補正対象書類名】明細書
【補正対象項目名】００１３
【補正方法】変更
【補正の内容】
【００１３】
また、本願請求項４７記載の発明のプログラムは、利用者端末からインターネット等のネットを介して接続可能なサーバに対して、各種のローン種別に応じた利率が記憶されているデータベースを形成して、このデータベースを利用して車両の見積を行わせるプログラムであって、前記サーバのデータベースには、車体種別に対応して、車体価格が記憶されているとともに、各種のローン種別に応じた利率が記憶され、サーバは、利用者端末に対して、車体種別の入力、及び、複数のローン方法の入力を促す入力要求画面を表示させるべく入力要求画面データを送信し、利用者端末から、入力要求画面に基づいて車体種別の特定、及び、複数のローン方法の特定がなされた見積請求データを受信すると、サーバは、データベースから前記特定された車体種別に応じた車体価格を抽出して購入代金を計算するとともに、前記特定されたローン方法に応じた利率を抽出して前記複数のローン方法に応じた返済額をそれぞれ計算して、サーバは、上記計算結果を利用者端末において一括で表示できるような見積画面データを利用者端末に対して送信するように設けられることを特徴とする。かかる構成をからなるプログラムをコンピュータに読み込ませることにより、上述の車両見積作成システム、及び、その動作方法を行うことができる。
また、本願請求項４８記載のシステムは、各種データの接受等の処理を行う処理手段を有する車両購入の際の見積を作成するためのシステムであって、処理手段は、車体種別を特定するとともにローン種別等のローン方法が特定された見積要求信号を受信すると、車体種別に対応して車体価格が記憶されるとともに各種のローン種別に応じた利率が記憶されたデータベースから、前記特定された車体種別に応じた車体価格を抽出して購入代金を計算するとともに、前記特定されたローン方法に応じた利率を抽出して前記ローン方法に応じた返済額をそれぞれ計算して、その計算結果を表示手段において一括で表示する見積画面データを出力するよう設けられていることを特徴とする。
また、本願請求項５０記載の発明のシステムの動作方法は、各種データの接受等の処理を行う処理手段を有し、車体種別に対応して車体価格が記憶されているとともに、各種のローン種別に応じた利率が記憶されているデータベースを利用して車両の見積を行う車両見積作成システムの動作方法であって、処理手段は、車体種別を特定するとともにローン種別等のローン方法が特定された見積要求信号を受信すると、データベースから、前記特定された車体種別に応じた車体価格を抽出して購入代金を計算するとともに、前記特定されたローン方法に応じた利率を抽出して前記ローン方法に応じた返済額をそれぞれ計算して、その計算結果を表示手段において一括で表示する見積画面データを出力することを特徴とする。
上記構成を採用することによって、例えば入力手段等から車体種別を特定するとともにローン種別等のローン方法を特定した見積請求データを入力することによって、処理手段は計算された購入代金及び返済額が含まれた見積画面データを出力し、これが表示手段に表示されることになる。そして、この見積画面データに基づいて、表示手段には、計算結果を利用者端末において表示されるため、購入を希望する者は、その画面を見ながら購入意思の決定を行うことができる。
このように、購入を希望する者は、そのシステムによって容易に購入意思の決定を行うことができ、例えば金額等に不満を有する場合には、他の車体種別についても見積請求データを入力して、購入意思を決定できることが可能ゆえ、購入意思の特定を迅速かつ確実に行い得る。
また、本願請求項５２記載の発明のプログラムは、各種データの接受等の処理を行う処理手段を有するコンピュータに対して、各種のローン種別に応じた利率が記憶されているデータベースを利用して車両の見積を行わせるプログラムであって、前記処理手段が、車体種別を特定するとともにローン種別等のローン方法が特定された見積要求信号を受信すると、データベースから、前記特定された車体種別に応じた車体価格を抽出して購入代金を計算するとともに、前記特定されたローン方法に応じた利率を抽出して前記ローン方法に応じた返済額をそれぞれ計算して、その計算結果を表示手段において表示する見積画面データを出力するように設けられたことを特徴とする。かかる構成をからなるプログラムをコンピュータに読み込ませることにより、上述の車両見積作成システム、及び、その動作方法を行うことができる。
また、本願請求項４９記載の発明のシステムは、利用者端末からインターネット等のネットを介して接続可能で、且つ、各種の車体種別等のデータを記憶するデータベースを有するサーバを備えてなり、前記サーバのデータベースには、車体種別に対応して、車体価格が記憶されているとともに、各種のローン種別に応じた利率が記憶されており、サーバは、利用者端末に対して、車体種別の入力、及び、ローン方法の入力を促す入力要求画面を表示させるべく入力要求画面データを送信するように設けられており、利用者端末から、入力要求画面に基づいて車体種別の特定、及び、ローン方法の特定がなされた見積請求データを受信すると、サーバは、データベースから前記特定された車体種別に応じた車体価格を抽出して購入代金を計算するとともに、前記特定されたローン方法に応じた利率を抽出して前記ローン方法に応じた返済額をそれぞれ計算して、サーバは、上記計算結果を利用者端末において表示できるような見積画面データを利用者端末に対して送信するように設けられていることを特徴とする。
さらに、本願請求項５１記載の発明のシステムの動作方法は、利用者端末からインターネット等のネットを介して接続可能で、且つ、各種の車体種別等のデータを記憶するデータベースを有するサーバを備えた車両見積作成システムの動作方法であって、前記サーバのデータベースには、車体種別に対応して、車体価格が記憶されているとともに、各種のローン種別に応じた利率が記憶されており、サーバは、利用者端末に対して、車体種別の入力、及び、ローン方法の入力を促す入力要求画面を表示させるべく入力要求画面データを送信し、利用者端末から、入力要求画面に基づいて車体種別の特定、及び、ローン方法の特定がなされた見積請求データを受信すると、サーバは、データベースから前記特定された車体種別に応じた車体価格を抽出して購入代金を計算するとともに、前記特定されたローン方法に応じた利率を抽出して前記ローン方法に応じた返済額をそれぞれ計算して、サーバは、上記計算結果を利用者端末において表示できるような見積画面データを利用者端末に対して送信するように設けられていることを特徴とする。
上記構成を採用することによって、インターネット等のネットを介して利用者端末をサーバに接続して、利用者端末から、表示される画面に基づいて車体種別を特定するとともにローン種別等のローン方法を特定した見積請求データを送信することによって、サーバからは計算された購入代金及び返済額が含まれた見積画面データが送信されることになる。そして、この見積画面データに基づいて、利用者端末には、計算結果が表示されるため、購入を希望する者は、その画面を見ながら購入意思の決定を行うことができる。
このように、インターネット等のネットを介して購入希望者は購入意思の決定を行うことができ、例えば金額等に不満を有する場合には、他の車体種別についても見積請求データを送信して、購入意思を決定できることが可能ゆえ、購入意思の特定を迅速かつ確実に行い得る。
また、本願請求項５３記載の発明のプログラムは、利用者端末からインターネット等のネットを介して接続可能なサーバに対して、各種のローン種別に応じた利率が記憶されているデータベースを形成して、このデータベースを利用して車両の見積を行わせるプログラムであって、前記サーバのデータベースには、車体種別に対応して、車体価格が記憶されているとともに、各種のローン種別に応じた利率が記憶され、サーバは、利用者端末に対して、車体種別の入力、及び、ローン方法の入力を促す入力要求画面を表示させるべく入力要求画面データを送信し、利用者端末から、入力要求画面に基づいて車体種別の特定、及び、ローン方法の特定がなされた見積請求データを受信すると、サーバは、データベースから前記特定された車体種別に応じた車体価格を抽出して購入代金を計算するとともに、前記特定されたローン方法に応じた利率を抽出して前記ローン方法に応じた返済額をそれぞれ計算して、サーバは、上記計算結果を利用者端末において表示できるような見積画面データを利用者端末に対して送信するように設けられることを特徴とする。かかる構成をからなるプログラムをコンピュータに読み込ませることにより、上述の車両見積作成システム、及び、その動作方法を行うことができる。